(57)【要約】  組成式が（Ｇｄ1-α-β-γＬαＣｅβＴｂγ）3+a（Ａｌ1-u-vＧａuＳｃv）5-bＯ12（ＬはＹ、Ｌｕから選択される少なくとも一つの元素）で表され、下記範囲を満足することを特徴とする蛍光材料。０≦ａ≦０．１、０≦ｂ≦０．１、０≦α≦０．３、０．０００３≦β≦０．００５、０．０２≦γ≦０．２、０．２７≦ｕ≦０．７５、０≦ｖ≦０．０２を満す。好ましくは、０＜ａ≦０．０７、０＜ｂ≦０．０７、０＜α≦０．１５、０．０００３≦β≦０．００４、０．０３≦γ≦０．１５、０．３５≦ｕ≦０．７０、０≦ｖ≦０．０２とする。
2014168202.tif 000002
【特許請求の範囲】
【請求項１】
（Ｇｄ1-α-β-γＬαＣｅβＴｂγ）3+a（Ａｌ1-u-vＧａuＳｃv）5-bＯ12（ＬはＹ、Ｌｕから選択される少なくとも一つの元素）で表される組成式を有し、ａ、ｂ、α、β、γ、ｕ、ｖが下記範囲を満足する蛍光材料。
０≦ａ≦０．１、
０≦ｂ≦０．１、
０≦α≦０．３、
０．０００３≦β≦０．００５、
０．０２≦γ≦０．２、
０．２７≦ｕ≦０．７５、
０≦ｖ≦０．０２
【請求項２】
前記ａ、ｂ、α、β、γ、ｕ、ｖは下記範囲を満足する請求項１に記載の蛍光材料。
０＜ａ≦０．０７、
０＜ｂ≦０．０７、
０＜α≦０．１５、
０．０００３≦β≦０．００４、
０．０３≦γ≦０．１５、
０．３５≦ｕ≦０．７０、
０≦ｖ≦０．０２
【請求項３】
前記βは下記範囲を満足する請求項１または２に記載の蛍光材料。
０．０００５≦β≦０．００３
【請求項４】
前記ｖは下記範囲を満足する請求項１から３のいずれかに記載の蛍光材料。
０．００３≦ｖ≦０．０２
【請求項５】
前記ａ、ｂはａ＝ｂである請求項１から４のいずれかに記載の蛍光材料。
【請求項６】
前記蛍光材料は多結晶の焼結体であり、焼結体の結晶の平均粒径が０．０５μｍ以上５μｍ以下である請求項１から５のいずれかに記載の蛍光材料。
【請求項７】
平均繊維径が１μｍ以上５０μｍ以下である請求項１から６のいずれかに記載の蛍光材料。
【請求項８】
請求項７に記載の蛍光材料を含み、板形状を有するシンチレータであって、前記蛍光材料の繊維形状の長手方向が板形状の厚さ方向となるように、前記蛍光材料が並列に配置されたシンチレータ。
【請求項９】
請求項８に記載のシンチレータと、
光を電気信号に変換する光電変換器と
を備えた放射線変換パネル。
【発明の詳細な説明】
【技術分野】
【０００１】
本発明は、少なくともＧｄ、Ａｌ、Ｇａを含む組成のガーネット型の酸化物である蛍光材料、シンチレータ、並びに放射線変換パネルに関するものである。
【背景技術】
【０００２】
被写体に放射線を照射し、被写体を透過した放射線を画像化する放射線画像撮影システムは、歯科用、マンモグラフィー及び胸部Ｘ線撮影装置として広汎に使用されている。放射線検出部には、放射線を直接デジタルデータに変換できるフラットパネル検出器（Ｆｌａｔ  Ｐａｎｅｌ  Ｄｅｔｅｃｔｏｒ：以下ＦＰＤと言う）が実用化されている。ＦＰＤは、従来のイメージングプレートを用いる方式に比べて、即時に画像を確認できるといったメリットがあり、急速に普及が進んでいる。【０００３】
ＦＰＤには、代表的なものとして、アモルファスＳｅを用いて、放射線を直接電気信号に変換する直接変換方式のものと、放射線を一度ＣｓＩ：ＴｌやＧｄ2Ｏ2Ｓ：Ｔｂなどのシンチレータで光に変換し、変換した光をＣＣＤ等の光検出器で電気信号に変換する間接変換方式のものがある。直接変換方式は画像に含まれるノイズ成分が多いという問題がある。そのため、現状では間接変換方式の方がより多く用いられている。【０００４】
ＦＰＤの放射線変換パネルは、例えば板状の光電変換器と光電変換器上に配置された板状のシンチレータとからなっている。この放射線変換パネルは、被検体を透過したＸ線がシンチレータに入射し、シンチレータで発光した光がＸ線照射側から光電変換器側に導かれる構造をもつ。シンチレータは、光を光電変換器側に導くために、複数の繊維状に形成された蛍光材料（以下、繊維状蛍光体）が並列に配置された構造を持っている。【０００５】
特許文献１では、板状のシンチレータとして柱状結晶と非柱状結晶を組み合わせ、柱状結晶とその間隙との屈折率の差を利用して柱状結晶の内部で光を反射し、光電変換器まで光を導く放射線変換パネルが提案されている。【０００６】
また、酸化物や酸硫化物からなる蛍光材料を紡糸して繊維状蛍光体とし、この繊維状蛍光体を接着材料により束状にまとめる構造が知られている（特許文献２、３）。
【先行技術文献】
【特許文献】
【０００７】
【特許文献１】特開２０１１−１７６８３号公報
【特許文献２】特開２００４−３３３４８９号公報
【特許文献３】特開２００５−５４１７８号公報
【発明の概要】
【０００８】
間接変換方式のＦＰＤは、人体に対する放射線被爆を極力小さくし、且つ高解像度の画像が得られるように、シンチレータに使用する蛍光材料として少ない放射線でも高い発光強度をもつものが求められる。また、Ｘ線照射を停止してから数１０ｍｓ経過後の残光が０．１％以下と小さいものが求められる。
【発明が解決しようとする課題】
【０００９】
特許文献１の柱状結晶を用いる放射線変換パネルには、板状のシンチレータとして蒸着法で柱状に結晶成長したＣｓＩ：Ｔｌが使用されているが、Ｘ線照射を停止してから２０ミリ秒（２０ｍｓ）後の残光が大きく、特に動画撮影に要望される残光０．１％以下のシンチレータとすることは難しい。また、毒劇物であるＴｌを使用していることや、潮解性が高く取り扱いが困難であること、放射線劣化が大きいことなども問題である。【００１０】
特許文献２の（ＬｕＴｂＣｅ）3Ａｌ5Ｏ12で構成されるガーネット型の酸化物である蛍光材料は、発光強度が低く、Ｇｄ2Ｏ2Ｓ：Ｔｂの発光強度を１００％として、せいぜい７０％のものしか得られない。【００１１】
また、特許文献３は、Ｇｄ2Ｏ2Ｓ：Ｔｂを含む（ＭＬｎ）2Ｏ2Ｓ（式中ＭはＹ，Ｌａ，Ｓｃ，Ｌｕ及び／又はＧｄの群から選択した少なくとも一つの元素、またＬｎはＥｕ，Ｃｅ，Ｐｒ，Ｔｂ，Ｙｂ，Ｄｙ，Ｓｍ及び／又はＨｏの群から選択した少なくとも一つの元素）からなる蛍光材料が記載されているが、さらに高い発光強度の蛍光材料が望まれている。【００１２】
本発明は、発光強度が高く、かつ残光が十分に小さい蛍光材料の提供を目的とする。また、この蛍光材料を用いたシンチレータ、並びに放射線変換パネルの提供を目的とする。
【課題を解決するための手段】
【００１３】
本発明の蛍光材料は、（Ｇｄ1-α-β-γＬαＣｅβＴｂγ）3+a（Ａｌ1-u-vＧａuＳｃv）5-bＯ12（ＬはＹ、Ｌｕから選択される少なくとも一つの元素）で表される組成式を有し、ａ、ｂ、α、β、γ、ｕ、ｖが０≦ａ≦０．１、０≦ｂ≦０．１、０≦α≦０．３、０．０００３≦β≦０．００５、０．０２≦γ≦０．２、０．２７≦ｕ≦０．７５、０≦ｖ≦０．０２を満足する。【００１４】
前記ａ、ｂ、α、β、γ、ｕ、ｖは、０＜ａ≦０．０７、０＜ｂ≦０．０７、０＜α≦０．１５、０．０００３≦β≦０．００４、０．０３≦γ≦０．１５、０．３５≦ｕ≦０．７０、０≦ｖ≦０．０２を満足することが好ましい。また、前記βは０．０００５≦β≦０．００３であることがより好ましい。【００１５】
前記ｖは、０．００３≦ｖ≦０．０２を満足することが好ましい。【００１６】
前記ａ、ｂはａ＝ｂであることが好ましい。【００１７】
上記の蛍光材料は多結晶の焼結体であり、焼結体の結晶の平均粒径が０．０５μｍ以上５μｍ以下であってもよい。【００１８】
上記の蛍光材料は、平均繊維径が１μｍ以上５０μｍ以下であってもよい。【００１９】
本発明のシンチレータは、上記の蛍光材料を含み、板形状を有するシンチレータであって、前記蛍光材料の繊維形状の長手方向が板形状の厚さ方向となるように、前記蛍光材料が並列に配置されていてもよい。【００２０】
本発明の放射線変換パネルは、上記のシンチレータと、光を電気信号に変換する光電変換器とを備える。
【発明の効果】
【００２１】
本発明によれば、発光強度が高く、かつ残光が十分に小さい蛍光材料を提供できる。【００２２】
また、本発明の蛍光材料によれば、繊維状にしても破損の少ない蛍光材料を得ることができる。
【図面の簡単な説明】
【００２３】
【図１】Ｃｅ量βと相対発光強度の関係を示す図である。
【図２】Ｔｂ量γと相対発光強度の関係を示す図である。
【図３】Ｌ元素量αと相対発光強度の関係を示す図である。
【図４】Ｇａ量ｕと相対発光強度の関係を示す図である。
【図５】（Ｇｄ1-α-β-γＹαＣｅβＴｂγ）3+a（Ａｌ1-u-vＧａuＳｃv）5-bＯ12の組成におけるａ量と相対発光強度の関係を示す図である。
【図６】Ｓｃ量ｖと相対発光強度の関係を示す図である。
【図７】Ｓｃ量ｖと平均結晶粒径の関係を示す図である。
【図８】Ｘ線照射後の時間と残光の関係を示す図である。
【図９】実施例における放射線変換パネルの一例を示す概略図である。
【図１０】図９の部分拡大図である。
【発明を実施するための最良の形態】
【００２４】
本発明は、（Ｇｄ1-α-β-γＬαＣｅβＴｂγ）3+a（Ａｌ1-u-vＧａuＳｃv）5-bＯ12（ＬはＹ、Ｌｕから選択される少なくとも一つの元素）で表される組成式を有する蛍光材料である。ここで、ａ、ｂ、α、β、γ、ｕ、ｖはそれぞれ、以下の関係を満たしている。
０≦ａ≦０．１、
０≦ｂ≦０．１、
０≦α≦０．３、
０．０００３≦β≦０．００５、
０．０２≦γ≦０．２、
０．２７≦ｕ≦０．７５、
０≦ｖ≦０．０２【００２５】
ガーネット型の酸化物からなる蛍光材料は、放射線に対して安定な金属酸化物で、高い発光強度をもつ蛍光材料として知られている。蛍光材料の発光は、Ｘ線励起により生成した電子と正孔が発光イオンにおいて結合することにより生じる。Ｇｄ、Ａｌ、Ｇａを含むガーネット型の酸化物において、発光イオンとしてＣｅおよびＴｂを添加することで、Ｃｅ単独、Ｔｂ単独の組成とするよりも発光強度が向上する。ＣｅとＴｂのどちらかのみを添加すると、ある程度の添加量までは発光強度が高まるが、以下において説明するように、多量に添加しすぎると濃度消光が起こって発光強度が下がる。本発明は、Ｇｄ、Ａｌ、Ｇａを含む組成のガーネット型の酸化物を母材とし、かつ、ＣｅとＴｂの発光元素の両方を微量に共添加することで発光強度が高い蛍光材料を実現した。また、従来のＴｌが添加されたＣｓＩからなる蛍光材料に比べて残光は十分に小さい。【００２６】
Ｃｅの量を示すβは、０．０００３≦β≦０．００５の範囲とする。βが０．０００３未満の場合には、発光元素であるＣｅ原子の数が少なすぎるために、吸収したＸ線のエネルギーを効率良く光エネルギーに変換することができない。βが０．００５よりも大きいと、Ｃｅ原子間の距離が小さくなりすぎるために、エネルギーの回遊が起こり（いわゆる濃度消光が起こり）発光強度が低下する。特に高い発光強度を得るには、βを０．０００３≦β≦０．００４の範囲内にすることが好ましい。より好ましくは０．０００５≦β≦０．００３である。【００２７】
同様に、Ｔｂの量を示すγは、０．０２≦γ≦０．２の範囲とする。γが０．０２未満の場合には、発光元素であるＴｂ原子の数が少なすぎるために、吸収したＸ線のエネルギーを効率よく光エネルギーに変換することができない。γが０．２よりも大きいと、Ｔｂ原子間の距離が小さくなりすぎるために、エネルギーの回遊が起こり（いわゆる濃度消光が起こり）発光強度が低下する。特に高い発光強度を得るには、γを０．０３≦γ≦０．１５の範囲内にすることがより好ましい。さらに好ましくは０．０３≦γ≦０．１である。【００２８】
本発明者の詳細な検討によれば、ＣｅまたはＴｂのいずれかを単独で、Ｇｄ、Ａｌ、Ｇａを含むガーネット型の酸化物に添加した場合、ＣｅまたはＴｂは、β＝０．００１またはγ＝０．０５の割合まで、添加量の増大とともに蛍光強度が増大し、これらの値より添加量が増えると、発光強度は逆に減少する。しかし、この場合でも、ＴｂとＣｅの両方を添加することによって、さらに発光強度を高められることが分かった。これは、ＴｂとＣｅとでは、蛍光が生じる電子の遷移状態が異なるため（Ｔｂは４ｆ−４ｆ電子の遷移、Ｃｅは、４ｆ−５ｄ遷移）、異なる遷移エネルギーの発光元素を共添加することで、Ｘ線励起により生成された電子と正孔を無駄なく結合させることができるからであると考えられる。【００２９】
以下、他の元素の添加量について説明する。【００３０】
ａ、ｂの範囲は共に、０≦ａ≦０．１、０≦ｂ≦０．１とする。【００３１】
ａとｂは同じ値をとることが好ましいが、素原料などに含まれるＳｉやＦｅ等の不純物元素の固溶や秤量誤差などにより、異なる値をとる場合もある。ａ≠ｂのときは結晶中に酸素欠陥が生じ易く、発光強度が低下する場合がある。【００３２】
ａが０未満の負の数であると、希土類元素が占有する（Ｇｄ1-α-β-γＬαＣｅβＴｂγ）サイトにイオンの空孔が生成し残光が増加する。また、発光強度が極端に低下する。よってａは０以上とする。量産においては組成のバラツキを考慮して０＜ａ、０＜ｂさらには０．０００１≦ａ、０．０００１≦ｂとすることが好ましい。但し、ａ、ｂが０．１を超えるとガーネット型ではない異相（ペロブスカイト相ＧｄＡｌＯ3）が生成されやすくなる。この異相は母材のガーネット型の相と屈折率が異なるため光散乱が生じ発光強度が低下する。【００３３】
特に高い発光強度と低い残光特性を両立するには、ａを０＜ａ≦０．０７、ｂを０＜ｂ≦０．０７の範囲内にすることがより好ましく、さらには０．０００１≦ａ≦０．０５、０．０００１≦ｂ≦０．０５の範囲内にすることが特に好ましい。【００３４】
Ｌ元素（Ｙ及び／又はＬｕ）の量を示すαは、０≦α≦０．３とする。【００３５】
Ｇｄをイオン半径の小さいＬで置換することで、異相（ペロブスカイト相ＧｄＡｌＯ3）が析出することを低減でき発光強度の低下を抑制できる、Ｌが０．３を超えるとバンドギャップが大きくなり発光強度が低下する。特に高い発光強度を得るには、αを０＜α≦０．１５の範囲内にすることがより好ましい。【００３６】
Ｇａの量を示すｕは、０．２７≦ｕ≦０．７５とする。【００３７】
ｕが０．２７未満の場合には上記のペロブスカイト相が出て、発光強度が低くなる。また、焼結性も低下する。例えば、ｕ≦０．２では焼結性が低下し、ボイドが多くなる。一方、ｕが０．７５を超える場合は発光強度が低下し、残光が大幅に増加する。特に高い相対発光強度を得るには、ｕを０．３５≦ｕ≦０．７０の範囲内にすることが好ましく、０．４≦ｕ≦０．６の範囲内にすることがより好ましい。【００３８】
Ｓｃの量を示すｖは、０≦ｖ≦０．０２とする。【００３９】
Ｓｃは、発光強度を向上させ残光を低減させる添加元素である。【００４０】
Ｇａは＋３価イオンであるが、＋１価に価数変動しやすい性質を持つ。ガーネット型の構造の中でＧａが＋１価になると、発光強度が低下し残光が増加する。Ｓｃ3+のイオン半径は、Ａｌ3+及びＧａ3+のイオン半径よりも大きく、Ｇａ3+の価数変化を抑制するものと考えられる。特に高い相対発光強度比を得るには、ｖを０≦ｖ≦０．０２の範囲内にすることがより好ましい。【００４１】
また、Ｓｃを添加することで、蛍光材料の機械的強度（特に破壊靭性）を高くすることができ、繊維状の蛍光材料を得るのに適する。これは、Ｓｃの添加により蛍光材料を焼結する際に結晶の粒成長が抑制されることに起因する。【００４２】
例えば、多結晶の焼結体からなる蛍光材料を製造する場合、Ｓｃを添加することで焼結後の蛍光材料は内部に微細な結晶が密に存在するものとなる。一般に多結晶セラミックは、内部のどこかで破壊が生じても、破壊による亀裂の拡大が結晶粒で止められる確率が高くなるので微細な結晶ほど破壊靭性が高まり、その結果として機械的強度も高くなる。蛍光材料もセラミックであり、同様の傾向がある。【００４３】
焼結体の結晶の平均粒径は、０．０５μｍ以上５μｍ以下であることが好ましい。０．０５μｍ以上であればＳｃによる結晶の粒径制御が容易である。５μｍ以下であれば、機械的強度を高める効果が十分に得られる。結晶の平均粒径は、０．１μｍ以上２μｍ以下であることがより好ましい。【００４４】
Ｓｃ量を示すｖが０．００３以上であると蛍光材料の平均結晶粒径を５μｍ以下まで小さくできる。ｖが０．０２以下であれば、発光強度はＧｄ2Ｏ2Ｓ：Ｔｂの蛍光材料と同等かもしくはそれ以上とすることができる。【００４５】
なお、ｖが０．０１５以上であれば、平均粒径が２μｍ以下の蛍光材料を製造することができる。【００４６】
また、本発明の蛍光材料は、硫黄を含まない。このためＧｄ2Ｏ2Ｓ系の蛍光材料と異なり、硫化物を原料として用いないことにより、高い密度の焼結体を得ることができ、これによって透過率が上がり高い発光強度を実現し得る。【００４７】
なお本発明の蛍光材料の組成式において、酸素の組成比は１２であると定めている。これは、本発明の蛍光材料がガーネット構造を備えているとし、酸素を基準として組成比を決定しているからである。しかし、本発明の蛍光材料は完全なガーネット構造を備えていなくてもよい。上述したようにａおよびｂの値によっては、本発明の蛍光材料は、酸素欠損または酸素過剰であるガーネット構造を備えていることもある。つまり、酸素欠損や酸素過剰であるかどうかにかかわらず、酸素の組成比を１２であるとして組成式を定めた場合に、組成式の組成比ａ、ｂ、α、β、γ、ｕ、ｖが上述した関係を満たしていればよい。【００４８】
以下の説明は蛍光材料の製造方法の一例であるが、本発明はこれに限定されない。【００４９】
＜無機塩法＞
無機塩法とは、原料を酸などにより溶解した前駆体を乾燥し、焼結する方法である。【００５０】
例えば原料として、目標の組成に秤量した、硝酸ガドリニウム、硝酸イットリウムまたは硝酸ルテチウム、硝酸セリウム、硝酸テルビウム、硝酸アルミニウム、硝酸ガリウム、硝酸スカンジウム等を純水に溶かし、前駆体溶液を形成する。代替的には、出発物質すべてを酢酸塩、ギ酸塩、乳酸塩など、またはこれらの組合せにしてもよい。または、酸化物原料を硝酸水溶液や塩酸水溶液に溶かしてもよい。さらに、クエン酸を加えて、６０℃〜８０℃に加熱しながら撹拌を行い重合により粘度を高めることができる。この際、粘度の調整としてポリビニルアルコール、ポリビニルピロリドンなどを少量添加してもよい。これによって成形に適した粘度に調整されたゲル状の前駆体が得られる。【００５１】
この前駆体をドクターブレード法等でシート状に成形することができるが、紡糸する場合は、この前駆体をノズルなどを通して、所定の直径の繊維に紡糸する。【００５２】
この繊維を約１００℃〜１５０℃で乾燥し、その後、酸素中で１１００℃〜１５００℃、０．５〜５．０時間にて焼結を行う。【００５３】
上記製造方法によりガーネット型の酸化物の蛍光材料が得られる。【００５４】
無機塩法は、後述のスラリー法、分散混錬法よりも、繊維径や断面形状、密度の制御が容易であり、蛍光材料を繊維状にするうえで好ましい。【００５５】
＜スラリー法＞
スラリー法とは、スラリー状にした原料をバインダーと混ぜた後に乾燥し、焼結する方法である。【００５６】
例えば原料として、酸化ガドリニウム、酸化イットリウム、酸化ルテチウム、酸化セリウム、酸化テルビウム、酸化アルミニウム、酸化ガリウム、酸化スカンジウムを適宜目的組成に秤量した平均粒径１μｍ以下の酸化物原料の微粉を、アルミナボールを用いて湿式ボールミル混合を行い、スラリーを作製する。この際、発光イオンであるセリウムとテルビウムなどの少量添加する物質は、硝酸塩などを用いてもよい。作製したスラリーにクエン酸およびバインダーとしてポリビニルピロリドンなどを加え、１００℃に加熱しながら撹拌を行いスラリーにしてから成形する。このスラリーを用いてシート成形体を得ることができる。紡糸する場合は、このスラリーをノズルなどを通して、所定の直径の繊維に紡糸する。この繊維を約１００℃〜１５０℃で乾燥し、その後、酸素中で１１００℃〜１５００℃、０．５〜５．０時間にて焼結を行う。【００５７】
上記製造方法によりガーネット型の酸化物の蛍光材料が得られる。【００５８】
＜分散混錬法＞
分散混錬法とは、粉末状の蛍光材料を接着材料中に分散して固化する製造方法である。【００５９】
例えば原料として、酸化ガドリニウム、酸化イットリウム、酸化ルテチウム、酸化セリウム、酸化テルビウム、酸化アルミニウム、酸化ガリウム、酸化スカンジウムを適宜目的組成に秤量した粒径１μｍ以下の酸化物原料の微粉を、アルミナボールを用いて湿式ボールミル混合を行い、スラリーを作製する。【００６０】
作製したスラリーを乾燥後、酸素中にて焼成を行うことで粉末状の蛍光材料が得られる。【００６１】
この粉末状の蛍光材料を樹脂やガラス等の接着材料と混錬し、必要によりシート成形したり繊維状に紡糸し、固化することで蛍光体が得られる。【００６２】
分散混錬法においても、Ｓｃを添加することで、粉末の粒成長が抑制され、得られる粉末状の蛍光材料の平均粒径が小さくなる。粉末の平均粒径が小さくなると、樹脂と混ぜて固化した蛍光体を製造する場合、外部から応力が加わっても蛍光体の内部で局所的な応力集中を緩和でき、その結果として機械的強度が高くなる。【００６３】
粉末の平均粒径は、０．０５μｍ以上５μｍ以下であることが好ましく、０．１μｍ以上２μｍ以下であることがより好ましい。０．０５μｍ以上であればＳｃによる結晶の粒径制御が容易である。５μｍ以下であれば、繊維状蛍光体の機械的強度を高める効果が十分に得られる。【００６４】
Ｓｃ量を示すｖが０．００３以上であると粉末状の蛍光材料の平均粒径を５μｍ未満まで小さくできる。但し、ｖが０．０２を超えると発光強度が低下する。【００６５】
また、本発明の蛍光材料から繊維状蛍光体を作製する場合、蛍光材料が高い密度を有し、緻密であるため、Ｇｄ2Ｏ2Ｓ系の蛍光材料と異なり、ＨＩＰ（熱間等方圧加圧法）などの焼結法を用いる必要がない。このため、繊維状蛍光体を製造するコストを低減することができる。【００６６】
［シンチレータ］
上記の蛍光材料をシンチレータとして使用できる。板状のシンチレータとしたり粉体のシンチレータとして用いることもできる。また、複数の蛍光材料を組合わせてシンチレータとすることができ、例えば繊維状蛍光体を並列に配置したシンチレータとすることができる。【００６７】
例えば、ＦＰＤでは繊維状蛍光体を並列に配置したシンチレータが用いられる。高い解像度を得るために、繊維状蛍光体は上記の蛍光材料を用いて極力細い糸状に紡糸される。細い繊維状蛍光体を用いることで単位面積あたりで配置できる繊維状蛍光体の本数を増やせるので、ＦＰＤの検出分解能が向上する。【００６８】
しかし繊維状蛍光体は細くするほど折れやすくなり、取り扱いが困難になる。例えば、板状シンチレータを作製する際には繊維状蛍光体を密に纏めて接着材料で固める必要があり、その際に繊維状蛍光体が折れて破損してしまうという問題がある。このような理由から機械的強度の高い繊維状蛍光体が求められるが、上述したようにＳｃ添加することで、細くとも機械的強度の高い繊維状蛍光体が得られる。【００６９】
平均繊維径が１μｍ未満の場合は、機械的強度が不足して破損しやすい。また、繊維状蛍光体を並列に配置してＦＰＤ用のシンチレータにする場合、繊維の充填密度が上がりにくい。一方、平均繊維径が５０μｍを超えると、ＦＰＤ用のシンチレータとしての解像度が低下してしまう。【００７０】
平均繊維径は、２μｍ以上３０μｍ以下、さらには３μｍ以上１５μｍ以下がより好ましいく、充填密度が上がり易く、且つ繊維が破壊し難い。【００７１】
繊維状蛍光体を並列に配置する際、結束のために樹脂（以下、結束用樹脂）を用いることが好ましい。この樹脂は、蛍光材料の内部で発光した光を後述の光電変換器に導くために、蛍光材料との屈折率の差が大きいものを選定する。本発明の蛍光材料を用いた多結晶の蛍光材料は屈折率が１．８０以上２．００以下にできるため、結束用樹脂は屈折率が１．５０以下のものを用いることが好ましく、例えばエポキシ系、フッ素系、シリコン系の樹脂を用いることができる。【００７２】
結束用樹脂は、粘度が５０ｍＰａ・ｓ以上、１０００ｍＰａ・ｓ以下のものが好ましい。５０ｍＰａ・ｓ未満の粘度では、結束する際の加圧力により樹脂の大部分が吐き出されてしまい、接着能力が低下してしまう。１０００ｍＰａ・ｓより大きい粘度では、樹脂を繊維間に均一に充填することが難しい。【００７３】
また、結束用樹脂はＸ線に対する放射線劣化の小さい（変色、脆化しない）ものが好ましい。これらの点から、前記熱硬化性樹脂はエポキシ系樹脂であることが最も好ましい。【００７４】
分散混錬法で繊維状蛍光体を製造する場合は、紡糸用の接着材料は屈折率が１．６５以上のものを用いることが好ましく、例えばポリエチレンテレフタレートを用いることができる。【００７５】
［放射線変換パネル］
シンチレータと、光を電気信号に変換する光電変換器を組み合わせることによって、高感度、高解像度かつ放射線劣化の小さい放射線変換パネルを作製することができる。【００７６】
図９は、本発明の実施形態による放射線変換パネル１０の模式図である。図９のように本発明による放射線変換パネル１０は、板状のシンチレータ１と光電変換器２から構成される。光電変換器２は、例えば、２次元に配列された複数のフォトダイオードを含む。フォトダイオードには、例えば、シリコンフォトダイオードを用いることができる。【００７７】
図１０は、図９の部分拡大図である。板状のシンチレータとして、繊維状蛍光体３を板厚方向が長手方向と並行になるように、並列に配置したものを用いている。繊維状蛍光体３（平均繊維径１〜５０μｍ、長さ０．５〜１．５ｍｍ）の間（斜線部）には結束用樹脂４が充填され、繊維状蛍光体３は放射線が入射する方向と平行かつほぼ均一な密度になるよう整列されている。繊維状蛍光体３がＸ線を吸収して放出された光は、繊維状蛍光体３と結束用樹脂４の屈折率差による反射で繊維状蛍光体３の内部から散光せずに光電変換器２に導かれるので、光の拡散が抑制され検出画像を高解像度化することが出来る。【００７８】
（実施例１）
Ｃｅ量、Ｔｂ量と相対発光強度の関係を調べた。【００７９】
シンチレータの発光は、Ｘ線励起により生成した電子と正孔が発光イオンにおいて結合することにより生じる。本発明の組成系では、発光イオンはＣｅおよびＴｂの２元素である。【００８０】
Ｃｅ量βと相対発光強度の関係を述べる。表１に示す組成式になるように、酸化ガドリニウム、酸化イットリウム、酸化テルビウム、硝酸セリウム（酸化セリウムでもよい。以下同様）、酸化アルミニウム、酸化ガリウム、酸化スカンジウムを秤量した。その際、Ｃｅ量βが下記組成式で、０、０．０００３３、０．０００６６、０．００１０、０．００１７、０．００３３、０．００５０、０．００６６となるようにした。樹脂製のポットにこれらの原料粉を入れ、アルミナボールを用いて湿式ボールミル混合を４０時間行い、原料スラリーを作製した。作製したスラリーを乾燥後、平板状にプレス成型し、酸素中にて焼成を行った。焼成は１６６０℃で１２時間保持にて行った。これにより得られた蛍光材料をＩＣＰ−ＡＥＳ分析（高周波誘導結合プラズマ発光分光分析法、パーキンエルマー製：ＯＰＴＩＭＡ−３３００ＸＬ）により組成を特定したところ、表１に示す組成の蛍光材料であることが確認できた。平均結晶粒径は約３μｍであった。【００８１】
Ｃｅ量βと相対発光強度の関係を図１に示す。【００８２】
【表１】
2014168202.tif 000003
【００８３】
図１の相対発光強度はＧｄ2Ｏ2Ｓ：Ｔｂの発光強度を１００％とした場合の値（％）である。発光強度はシリコンフォトダイオード（浜松ホトニクス製Ｓ２２８１）を用いて測定した。以下の実施例の発光強度も同様に測定した。【００８４】
図１よりβの値が０．０００３≦β≦０．００５の範囲で１００％より大きい相対発光強度が得られた。Ｃｅは微量でも発光強度を向上させるため、βが０．０００３以上であれば十分に発光強度を高めることができる。βの値が０．０００３≦β≦０．００４の範囲で、１０５％以上の相対発光強度が得られ、０．０００５≦β≦０．００３の範囲で、１１０％以上の相対発光強度が得られた。【００８５】
Ｔｂ量γと相対発光強度の関係を述べる。表２に示す組成式になるように、酸化ガドリニウム、酸化イットリウム、酸化テルビウム、硝酸セリウム、酸化アルミニウム、酸化ガリウム、酸化スカンジウムを秤量した。その際、Ｔｂ量γが下記組成式で、０、０．０１、０．０１７、０．０３３、０．０５、０．０６６、０．１０、０．１３、０．２０となるようにした。樹脂製のポットにこれらの原料粉を入れ、アルミナボールを用いて湿式ボールミル混合を４０時間行い、原料スラリーを作製した。作製したスラリーを乾燥後、平板状にプレス成型し、酸素中にて焼成を行った。焼成は１６６０℃で１２時間保持にて行った。これにより得られた蛍光材料をＩＣＰ−ＡＥＳ分析により組成を特定したところ、表２に示す組成の蛍光材料であることが確認できた。平均結晶粒径は約３μｍであった。【００８６】
Ｔｂ量γと相対発光強度の関係を図２に示す。【００８７】
【表２】
2014168202.tif 000004
【００８８】
γの値が０．０２≦γ≦０．２の範囲で発光強度が十分に高いものが得られた。γの値が０．０３≦γ≦０．１５の範囲とすることでさらに発光強度を高くすることができる。【００８９】
表２に示すように、図２の結果は、Ｃｅの添加量βが０．００１である場合を示しており、図１から、Ｃｅの添加量βが０．００１である場合、Ｃｅについては、蛍光材料の最も発光強度が高くなる。したがって、図２は、最も発光強度が高くなる条件でＣｅが含まれている場合でも、Ｔｂを添加することにより、発光強度をさらに高めることができ、Ｔｂの添加量γが０．０５程度で発光強度が最も高くなることを示している。【００９０】
同様に、図１の結果は、Ｔｂの添加量γが０．０５である場合を示しているため、図１は、最も発光強度が高くなる条件でＴｂが含まれている場合でも、Ｃｅを添加することにより、発光強度をさらに高めることができ、Ｃｅの添加量βが０．００１程度で発光強度が最も高くなることを示している。【００９１】
これらの結果から、ＣｅおよびＴｂを単独で蛍光材料に添加する場合に比べて、ＣｅおよびＴｂの合計の添加量を高めることができ、これによって、ＣｅおよびＴｂを単独で蛍光材料に添加する場合に比べて、より高い発光強度を得ることが得できることが分かる。【００９２】
（実施例２）
Ｙ量と相対発光強度の関係を調べた。表３に示す組成式になるように、酸化ガドリニウム、酸化イットリウム、酸化テルビウム、硝酸セリウム、酸化アルミニウム、酸化ガリウム、酸化スカンジウムを秤量した。その際、Ｙ量αが下記組成式で、０、０．０３３、０．１０、０．２０、０．３０、０．４０となるようにした。樹脂製のポットにこれらの原料粉を入れ、アルミナボールを用いて湿式ボールミル混合を４０時間行い、原料スラリーを作製した。作製したスラリーを乾燥後、平板状にプレス成型し、酸素中にて焼成を行った。焼成は１６６０℃で１２時間保持にて行った。これにより得られた蛍光材料をＩＣＰ−ＡＥＳ分析により組成を特定したところ、表３に示す組成の蛍光材料であることが確認できた。平均結晶粒径は約３μｍであった。【００９３】
Ｙ量と相対発光強度の関係を図３に示す。【００９４】
【表３】
2014168202.tif 000005
【００９５】
Ｙ量を示すαの値が０≦α≦０．３であれば、発光強度の低下を防ぐことができる。αの値は０＜α≦０．１５とすることでさらに発光強度を高くすることができる。また、図３からαが０．３よりも大きいと発光強度は低下する傾向がみられる。これは、Ｙの含有量が増えることにより、バンドギャップが増大し、Ｘ線照射による電子−正孔対の生成が少なくなるからと考えられる。【００９６】
（実施例３）
Ｇａ量と相対発光強度の関係を調べた。表４に示す組成式になるように、酸化ガドリニウム、酸化イットリウム、酸化テルビウム、硝酸セリウム、酸化アルミニウム、酸化ガリウム、酸化スカンジウムを秤量した。その際、Ｇａ量ｕが下記組成式で、０．２３２、０．２９３、０．３３３、０．３７３、０．４１３、０．４５３、０．４９３、０．５７３、０．５９３、０．６９３、０．７５４、０．７９４となるようにした。樹脂製のポットにこれらの原料粉を入れ、アルミナボールを用いて湿式ボールミル混合を４０時間行い、原料スラリーを作製した。作製したスラリーを乾燥後、平板状にプレス成型し、酸素中にて焼成を行った。焼成は１６６０℃で１２時間保持にて行った。これにより得られた蛍光材料をＩＣＰ−ＡＥＳ分析により組成を特定したところ、表４に示す組成の蛍光材料であることが確認できた。平均結晶粒径は約３μｍであった。【００９７】
Ｇａ量と相対発光強度の関係を図４に示す。【００９８】
【表４】
2014168202.tif 000006
【００９９】
図よりＧａ量を示すｕの値が０．２７≦ｕ≦０．７５の範囲であれば、相対発光強度の低下を防ぐことができ、０．３５≦ｕ≦０．７０の範囲であれば高い発光強度が得られる。特に、ｕが０．４≦ｕ≦０．６を満たす場合、更に高い発光強度を得ることができる。【０１００】
（実施例４）
（Ｇｄ1-α-β-γＹαＣｅβＴｂγ）3+a（Ａｌ1-u-vＧａuＳｃv）5-bＯ12の組成において、ａ、ｂの値と相対発光強度の関係を調べた。なお、ａとｂは同じ値とした。表５に示す組成式となるように、酸化ガドリニウム、酸化イットリウム、酸化テルビウム、硝酸セリウム、酸化アルミニウム、酸化ガリウム、酸化スカンジウムを秤量した。その際、ａ、ｂが下記組成式で、−０．０１、０、０．０１、０．０２、０．０５、０．１、０．１５、０．２０となるようにした。樹脂製のポットにこれらの原料粉を入れ、アルミナボールを用いて湿式ボールミル混合を４０時間行い、原料スラリーを作製した。作製したスラリーを乾燥後、平板状にプレス成型し、酸素中にて焼成を行った。焼成は１６６０℃で１２時間保持にて行った。これにより得られた蛍光材料をＩＣＰ−ＡＥＳ分析により組成を特定したところ、表５に示す組成の蛍光材料であることが確認できた。平均結晶粒径は約３μｍであった。【０１０１】
ａの値と相対発光強度の関係を図５に示す。【０１０２】
【表５】
2014168202.tif 000007
【０１０３】
図よりａ＜０、ｂ＜０の場合、発光イオンであるＣｅおよびＴｂのサイトに空孔が生じることで、Ｘ線励起で生成した電子が捕捉され、発光強度が低下する。０≦ａ、０≦ｂとすることで、空孔が抑制され、良好な発光強度を示す。一方、ａとｂとが共に０．１より大きくなると、シンチレータ中にガーネット型とは異なるペロブスカイト相ＧｄＡｌＯ3が異相として形成されやすくなる。この異相は、母材のガーネット型の相と屈折率が異なる為に、ペロブスカイト相で光散乱が生じ、発光強度が低下する。０≦ａ≦０．１、０≦ｂ≦０．１の範囲であれば、相対発光強度の低下を防ぐことができる。０＜ａ≦０．０７、０＜ｂ≦０．０７であればさらに高い発光強度が得られ、０．０００１≦ａ≦０．０５、０．０００１≦ｂ≦０．０５であれば、さらに高い発光強度が得られる。【０１０４】
（実施例５）
Ｙの代わりにＬｕを用いた場合とＹ及びＬｕの両方を用いた場合について、αの値と相対発光強度の関係を調べた。【０１０５】
表６に示す３種の組成式となるように、酸化ガドリニウム、酸化イットリウム、酸化ルテチウム、酸化テルビウム、硝酸セリウム、酸化アルミニウム、酸化ガリウム、酸化スカンジウムを秤量した。樹脂製のポットにこれらの原料粉を入れ、アルミナボールを用いて湿式ボールミル混合を４０時間行い、原料スラリーを作製した。作製したスラリーを乾燥後、平板状にプレス成型し、酸素中にて焼成を行った。焼成は１６６０℃で１２時間保持にて行った。これにより得られた蛍光材料をＩＣＰ−ＡＥＳ分析により組成を特定したところ、表６に示す組成の蛍光材料であることが確認できた。平均結晶粒径は約３μｍであった。表６には、実施例１で得られたＹを用いた試料の結果も示している。【０１０６】
表６より、この３種の実施例による蛍光材料は、他の実施例の蛍光材料と同様に、Ｇｄ2Ｏ2Ｓ：Ｔｂを１００％としたときの相対発光強度で９５％以上の高い発光強度が得られることを確認した。
【０１０７】
【表６】
2014168202.tif 000008
【０１０８】
（実施例６）
Ｓｃ量と相対発光強度の関係を調べた。表７に示す組成式となるように、酸化ガドリニウム、酸化イットリウム、酸化テルビウム、硝酸セリウム、酸化アルミニウム、酸化ガリウム、酸化スカンジウムを秤量した。その際、Ｓｃ量ｖが下記組成式で、０、０．００３、０．００６、０．０１２、０．０２０、０．０２５となるようにした。樹脂製のポットにこれらの原料粉を入れ、アルミナボールを用いて湿式ボールミル混合を４０時間行い、原料スラリーを作製した。作製したスラリーを乾燥後、平板状にプレス成型し、酸素中にて焼成を行った。焼成条件は１６６０℃で１２時間保持にて行った。これにより蛍光材料を得た。【０１０９】
これにより得られた蛍光材料をＩＣＰ−ＡＥＳ分析により組成を特定したところ、表７に示す組成の蛍光材料であることが確認できた。【０１１０】
Ｓｃ量ｖと相対発光強度の関係を図６に示す。【０１１１】
【表７】
2014168202.tif 000009
【０１１２】
また、Ｓｃ量と蛍光材料における平均結晶粒径の関係を調べた。上記で得た蛍光材料のＳｃ量と平均結晶粒径との関係を図７に示す。【０１１３】
表８はＳｃ量と平均結晶粒径、発光強度、靭性について調べたものである。図７、表８より、Ｓｃ量を示すｖの値が０．０２以下であれば、発光強度の低下を防ぐことができる。また、ｖを０．００３以上とすれば結晶粒成長が抑制され平均結晶粒径を十分に小さくすることができる。ｖの値は０．０１０以上とすることが靭性の面でさらに好ましい。Ｓｃの原料は高価であることから多量の添加はコストを増大させることや、発光強度を高める効果を考慮すればｖの上限値を０．０２とすることが好ましく、０．０１５とすることがより好ましい。【０１１４】
【表８】
2014168202.tif 000010
【０１１５】
表８における靭性は、この組成の蛍光材料からなる繊維状蛍光体を作成し、ＪＩＳ−Ｒ−１６０１に準拠した３点曲げ強さ試験方法により評価したものである。表中、△は試験によって試料が折れたことを示し、○はある程度折れにくかったことを示し、◎は折れにくかったことを示す。【０１１６】
繊維状蛍光体は、以下のように作製した。上記の蛍光材料を得た後、平均粒径１００ｎｍの粉砕粉とし、この粉砕粉に、純水、クエン酸及びポリビニルピロリドンを添加し、加熱しながら粘度調整を行った。次に、得られた蛍光材料を乾式紡糸装置を用いて乾式紡糸を行い、繊維状に紡糸した。得られた繊維を大気中、昇温速度１００℃／ｈ、９００℃、１時間で脱脂を行い、続いて、酸素中１５５０℃で１０分間保持する焼結を行い繊維状蛍光体を得た。得られた繊維状蛍光体の平均繊維径は１０μｍである。Ｓｃが添加されていない繊維状蛍光体よりも、Ｓｃが添加された方が靭性が向上することで、高い屈折強度を持つことが確認された。但し、Ｓｃが添加されない場合でも蛍光材料としては有効であって、例えば粉状蛍光体やシート状蛍光体として活用できる。【０１１７】
（実施例７）
本発明の蛍光材料を用いて繊維状蛍光体を製造し、さらにこの繊維状蛍光体が並列に配置されたシンチレータを製造した。【０１１８】
繊維状蛍光体としてスラリー法により製造したものを用いた。【０１１９】
Ｇｄ2.755Ｙ0.1Ｔｂ0.15Ｃｅ0.005Ａｌ3.00Ｇａ1.96Ｓｃ0.03Ｏ12組成となるように、Ｙ2Ｏ3を２．５７ｇ、Ｇｄ2Ｏ3を１１３．７２ｇ、ＣｅＯ2を０．１９６ｇ、Ｔｂ4Ｏ7を６．３９ｇ、Ａｌ2Ｏ3を３４．８３ｇ、Ｇａ2Ｏ3を４１．８３ｇ、Ｓｃ2Ｏ3を０．４７１ｇ秤量し、容量１リットルの樹脂製ポットにこれらの素原料と、直径５ｍｍの高純度アルミナボール１３００ｇ及びエタノール２００ｃｃを一緒に入れ、２０時間混合した。その後、乾燥し、大気中１４００℃、２時間の焼成を行った。この焼成粉を、直径０．１ｍｍのアルミナビーズを用いたビーズミル粉砕により、平均粒径１００ｎｍの粉砕粉を得た。この粉末に、純水、クエン酸及びポリビニルピロリドンを添加し、加熱しながら粘度調整を行った。【０１２０】
次に、得られた蛍光材料を乾式紡糸装置を用いて乾式紡糸を行い、直径約１〜５０μｍにある数種類の繊維状蛍光体を紡糸した。得られた繊維を大気中、昇温速度１００℃／ｈ、９００℃、１時間で脱脂を行い、続いて、酸素中１５５０℃で１０分間保持する焼結を行い繊維状蛍光体を得た。この繊維状蛍光体の平均繊維径は１〜５０μｍであった。【０１２１】
外面に熱硬化性樹脂（エポキシ樹脂）を塗布した複数本の繊維状蛍光体を準備した。これらの繊維状蛍光体を、円筒状の圧力容器の内部に、繊維状蛍光体の長手方向が容器の軸方向に沿うように、並列に配置した。次に、円筒状の容器の軸方向の両端開口部に蓋をそれぞれ被せて密閉した。その後、円筒状の容器の径方向に等しく圧がかかるように加圧した。加圧圧力は１０ＭＰａから３００ＭＰａの間で行った。個々の繊維状蛍光体を長手方向と直交する方向のみに加圧し、繊維状蛍光体の隙間に熱硬化性樹脂を充填した。このとき、余剰の樹脂は蓋に形成された孔部から外部に排出するようにした。【０１２２】
次に、圧力容器から樹脂が充填された繊維状蛍光体の束を取り出し、熱を加えて樹脂を完全に硬化させ成形体とした。その後、この成形体を切削加工して板状のシンチレータとした。【０１２３】
シンチレータにおける繊維状蛍光体の充填率は８０％であった。実施例１〜６と同様の発光強度を測定したところ、約９０％の相対発光強度が得られた。【０１２４】
図８に作製したシンチレータにＸ線を照射して残光特性を調べた結果を示す。比較のため、Ｔｌが添加されたＣｓＩからなる蛍光材料を用いて作製したシンチレータの残光特性も示す。図８から分かるように、本実施例のシンチレータは、Ｘ線の照射後、１０ｍｓ程度でほぼ発光強度が０となることが分かった。Ｘ線で動画を撮影する場合、フレームレートは、３０ｆｐｓ（フレーム/ｓ）であり、１フレーム期間は３３ｍｓである。したがって、本実施例のシンチレータにおける残光は、１フレーム期間に比べて十分短く、本実施例のシンチレータを用いて動画を撮影しても、残像がほとんど問題にはならないと考えられる。【０１２５】
これに対し、ＣｓＩからなる蛍光材料を用いて作製したシンチレータでは、最大発光強度の１０％程度の残光が１００ｍｓ以上も続くため、Ｘ線で動画を撮影する場合には残光が目立つ。このように、本実施例の蛍光材料を用いたシンチレータは、例えば、Ｘ線で動画を撮影するのに好適に用いられることが分かった。【０１２６】
次にこのシンチレータの光検出器側の一面を除く５面の表面に、エポキシ樹脂にＴｉＯ2粉を混合した光反射材を塗布した。この板状のシンチレータにＸ線（Ｗターゲット、管電圧１２０ｋＶ、管電流２０ｍＡ）照射し、発光強度をシリコンフォトダイオードを用いて測定したところ、十分な発光強度を持つことが確認できた。
【符号の説明】
【０１２７】
１：シンチレータ
２：光電変換器
３：繊維状蛍光体
４：結束用樹脂
１０：放射線変換パネル
【図１】
2014168202.tif 000011
【図２】
2014168202.tif 000012
【図３】
2014168202.tif 000013
【図４】
2014168202.tif 000014
【図５】
2014168202.tif 000015
【図６】
2014168202.tif 000016
【図７】
2014168202.tif 000017
【図８】
2014168202.tif 000018
【図９】
2014168202.tif 000019
【図１０】
2014168202.tif 000020
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
（Ｇｄ1-α-β-γＬαＣｅβＴｂγ）3+a（Ａｌ1-u-vＧａuＳｃv）5-bＯ12（ＬはＹ、Ｌｕから選択される少なくとも一つの元素）で表される組成式を有し、ａ、ｂ、α、β、γ、ｕ、ｖが下記範囲を満足する蛍光材料。
０≦ａ≦０．０７、
０≦ｂ≦０．０７、
０≦α≦０．１５、
０．０００３≦β≦０．００４、
０．０３≦γ≦０．１５、
０．３５≦ｕ≦０．７０、
０≦ｖ≦０．０２
【請求項２】
前記βは下記範囲を満足する請求項１に記載の蛍光材料。
０．０００５≦β≦０．００３
【請求項３】
前記ｖは下記範囲を満足する請求項１または２に記載の蛍光材料。
０．００３≦ｖ≦０．０２
【請求項４】
前記ａ、ｂはａ＝ｂである請求項１から３のいずれかに記載の蛍光材料。
【請求項５】
前記蛍光材料は多結晶の焼結体であり、焼結体の結晶の平均粒径が０．０５μｍ以上５μｍ以下である請求項１から４のいずれかに記載の蛍光材料。
【請求項６】
平均繊維径が１μｍ以上５０μｍ以下である請求項１から５のいずれかに記載の蛍光材料。
【請求項７】
請求項６に記載の蛍光材料を含み、板形状を有するシンチレータであって、前記蛍光材料の繊維形状の長手方向が板形状の厚さ方向となるように、前記蛍光材料が並列に配置されたシンチレータ。
【請求項８】
請求項７に記載のシンチレータと、
光を電気信号に変換する光電変換器と
を備えた放射線変換パネル。
【国際調査報告】
2014168202.tif 000021
2014168202.tif 000022
2014168202.tif 000023
2014168202.tif 000024
2014168202.tif 000025